(57)【要約】【課題】  ユーザ所望のデータを容易に探し出すことができる携帯端末装置を得る。【解決手段】  ヘルプボタンが押下されると、携帯端末装置の表示部にキーワード入力画面が表示され（ステップＳ１）、ユーザはキーワードを入力する（ステップＳ２）。そして、入力されたキーワードを基に検索が行われる（ステップＳ４）。この検索では、ヘルプボタン押下時の表示部の画面に応じた種別のデータを検索対象とする。この検索結果は表示部に表示され（ステップＳ６）、ユーザにより検索結果の一つが選択、決定されると（ステップＳ７）、そのデータの表示や起動等の処理が行われる（ステップＳ８）。【選択図】      図２                                                  
2005080139.tif 000002
【特許請求の範囲】
【請求項１】
表示部を含む携帯端末装置であって、前記表示部の表示画面に応じた種別のデータを検索対象として、入力されたキーワードを基に検索を行う検索手段を含むことを特徴とする携帯端末装置。
【請求項２】
操作部と、前記操作部を用いた所定の操作に応答して前記表示部に前記キーワードの入力のための画面を表示せしめる表示制御手段とを更に含み、前記検索手段は、前記所定の操作の際における前記表示部の表示画面に応じた種別のデータを検索対象として検索を行うことを特徴とする請求項１記載の携帯端末装置。
【請求項３】
前記表示制御手段は前記検索手段の検索結果を前記表示部に表示せしめ、表示された検索結果の選択に応答して、この選択された検索結果に対応する処理が実行されることを特徴とする請求項２記載の携帯端末装置。
【請求項４】
携帯端末装置の情報検索方法であって、前記携帯端末装置の表示部の表示画面に応じた種別のデータを検索対象として、入力されたキーワードを基に検索を行う検索ステップを含むことを特徴とする情報検索方法。
【請求項５】
前記携帯端末装置の操作部を用いた所定の操作に応答して前記表示部に前記キーワードの入力のための画面を表示せしめるステップを更に含み、前記検索ステップは、前記所定の操作の際における前記表示部の表示画面に応じた種別のデータを検索対象として検索を行うことを特徴とする請求項４記載の情報検索方法。
【請求項６】
前記検索ステップの検索結果を前記表示部に表示せしめるステップと、表示された検索結果の選択に応答して、この選択された検索結果に対応する処理を実行するステップとを更に含むことを特徴とする請求項５記載の情報検索方法。
【請求項７】
携帯端末装置の情報検索方法をコンピュータに実行させるためのプログラムであって、前記携帯端末装置の表示部の表示画面に応じた種別のデータを検索対象として、入力されたキーワードを基に検索を行う検索ステップを含むことを特徴とするプログラム。
【発明の詳細な説明】
【技術分野】
【０００１】
本発明は携帯端末装置、情報検索方法及びプログラムに関し、特に表示部を有する携帯端末装置、情報検索方法及びプログラムに関する。
【背景技術】
【０００２】
以下に携帯電話機内のデータの検索について従来の方法を説明する（例えば特許文献１参照）。データには、携帯電話機に予め備わっているデータ（各種機能、着信音、等）やユーザ特有のデータ（電子メール、ダウンロード画像、等）がある。携帯電話機にはユーザが設定できる機能が多く、またユーザ特有のデータの保存量も多く、携帯電話機のメモリ内には膨大なデータが保存されている。
【０００３】
まず、携帯電話機においてユーザが所望の機能を実行するための従来の方法を図７を用いて説明する。なお、図７には携帯電話機の表示部の表示画面の遷移例が示されている。
【０００４】
ユーザが着信音の変更を行う場合、以下のような操作を行う。画面７１は待ち受け画面であり、まずユーザは待ち受け画面７１の状態で機能の呼び出しを行う。すなわち、携帯電話機の操作部が有する複数の操作ボタン内の機能呼び出しボタンを押下する。これにより、表示部には各種機能の項目一覧表示画面７２が表示される。携帯電話機にはユーザが設定する機能の種類が多いため、携帯電話のような小型なディスプレイでは全ての機能の一覧を一度に表示することは難しい。そのため、各機能を何種類かに分類する。例えば、着信音の選択や着信音量の設定は「音」の分類となる。ここでは、各種分類を大項目と称し、画面７２に示すように６種類の大項目が一覧表示されている。
【０００５】
次に、操作部を用いたカーソル操作によって画面７３に示すように「音」の項目を選択して決定すると、表示部には画面７４が表示される。画面７４では「音」に分類された機能の一覧が表示される。そして、画面７５に示すように、ユーザは操作部のカーソルボタンによって目的の機能を選択し目的の機能がカーソル表示された状態で、操作部の決定キーを押下することにより、目的の着信音設定画面７６が表示される。なお、カーソル表示とはカーソルボタンを上下（左右）に操作して行う表示のことである。
【０００６】
画面７４のカーソル表示が目的の機能でない場合、カーソル表示を上下に移動し目的の機能名が表示されるまでユーザはカーソル操作を行う。画面に表示される一覧の数には限りがあるため、機能名が画面表示数を超える場合はカーソル表示を上下することによって随時画面を切り替え、全ての機能名を表示させる。もし、目的の機能が一覧の２０番目にある場合、最大で２０回のカーソル操作を行うことになる。
【０００７】
次に、携帯電話機においてユーザが所望のメールを閲覧するための従来の方法を図８を用いて説明する。なお、図８（ａ）及び（ｂ）には携帯電話機の表示部の表示画面の遷移例が示されている。
【０００８】
携帯電話機は受信メール、送信メール等を保存できる。その保存数は莫大であるが、メール一覧画面で表示できる数は限られている。ユーザは受信メールの中から特定のメールを検索したい場合、次のような操作を行う。
【０００９】
まず、ユーザが操作部に割り付けられたメールボタンを押下することにより表示部にメール画面８１が表示される。メール画面８１では受信メール一覧、送信メール一覧、保存メール一覧、新規メール作成、等を選択できる。ここで「受信メール」を選択すると、受信メール一覧画面８２が表示される。受信メール一覧画面８２はメールを受信した日付と題名のみの表示となっており、画面８２から得られるメールについての情報は少ない。そのため、ユーザはメールの日付や題名を覚えていない場合、１件１件を選択して内容の確認を行わなければならない。画面８２では各メールは日付順に新しいものから表示されるものとする。
【００１０】
画面８３に示すようにユーザがカーソルボタンにより一のメールを選択し決定ボタンを押下すると、画面８４に示すように選択メールの受信者、その内容が表示部に表示される。もしユーザが探していた受信者や内容ではない場合、画面８４を閉じて受信メール一覧画面８２に戻り、メールの選択（画面８３）、内容の確認（画面８４）を繰り返す。現在表示されている受信メール一覧の中に目的のメールがない場合は、カーソルボタンによりカーソル表示を下げていくことにより順次メールが表示される。もし目的のメールが一覧の５０件目にある場合、上記の操作を最大で５０回繰り返すことになる。
【００１１】
受信メール一覧画面８２では各メールは日付の新しい順に並んでいたが、ユーザはこの表示方法を変更することもできる。例えば、日付の古いものの順、名前別表示、アドレス別表示、等が設定できる。したがって、ユーザが受信メール一覧の中から検索する度に検索の目的に合った表示方法をユーザ設定にて切り替え、変更した後に一覧表示から目的のメールを検索することが可能である。
【００１２】
例えば図８（ｂ）に示すように、日付順に並べられた受信メール一覧画面９１（８２）から名前順表示（「あいうえお」順）に切り替える場合、画面９１が表示されている状態において操作部の所定のボタンを押下して一覧表示切替設定画面９２を表示させる。そして、名前順を選択し決定することにより、画面９３に示すように名前順に整列された受信メールの一覧が表示される。よって目的の名前でないメールについては内容の確認はしなくてもよい。しかし、一覧の後ろのほうに割り当てられた名前である場合、画面９３にて目的のメールが表示されるまでカーソル操作を繰り返すことになり、やはり操作には時間がかかる。
【００１３】
【特許文献１】特開２０００−２６１５４４号公報（第２−３頁、第９−１０図）
【発明の開示】
【発明が解決しようとする課題】
【００１４】
このように、従来、携帯電話機に備わっている各種機能を呼び出す場合、全ての機能を一覧表示で検索するには時間がかかりすぎるため、機能の種類ごとに分類分けされている。携帯電話機には機能の種類が多いため、その分類は何階層にもなっている場合が多い。そのため、目的の機能設定の画面に到達するにはボタン操作の数が多くなってしまう。また、使用頻度の少ない機能であれば、階層分けされている機能の中からでも目的の機能を見つけることが困難である場合が多い。
【００１５】
各種機能の他にも携帯電話機のメモリ内のデータは多く、ユーザが保存できるデータ数も莫大である。携帯電話の技術が発達するにつれて、携帯電話機に予め備えられているデータ、携帯電話機にユーザが格納できるデータは今後増えていくと考えられる。しかし、データ量が増えるにつれて、ユーザが特定のデータを検索する手間は増えていく一方である。
【００１６】
本発明の目的は、ユーザ所望のデータを容易に探し出すことができる携帯端末装置、情報検索方法及びプログラムを提供することである。
【課題を解決するための手段】
【００１７】
本発明による携帯端末装置は、表示部を含む携帯端末装置であって、前記表示部の表示画面に応じた種別のデータを検索対象として、入力されたキーワードを基に検索を行う検索手段を含むことを特徴とする。
【００１８】
また、操作部と、前記操作部を用いた所定の操作に応答して前記表示部に前記キーワードの入力のための画面を表示せしめる表示制御手段とを更に含み、前記検索手段は、前記所定の操作の際における前記表示部の表示画面に応じた種別のデータを検索対象として検索を行うことを特徴とする。
【００１９】
さらに、前記表示制御手段は前記検索手段の検索結果を前記表示部に表示せしめ、表示された検索結果の選択に応答して、この選択された検索結果に対応する処理が実行されることを特徴とする。
【００２０】
本発明による情報検索方法は、携帯端末装置の情報検索方法であって、前記携帯端末装置の表示部の表示画面に応じた種別のデータを検索対象として、入力されたキーワードを基に検索を行う検索ステップを含むことを特徴とする。
【００２１】
本発明によるプログラムは、携帯端末装置の情報検索方法をコンピュータに実行させるためのプログラムであって、前記携帯端末装置の表示部の表示画面に応じた種別のデータを検索対象として、入力されたキーワードを基に検索を行う検索ステップを含むことを特徴とする。
【００２２】
本発明によれば、携帯端末装置は入力されたキーワードを用いて検索を行う検索手段を有しており、この検索手段は携帯端末装置の表示部の表示画面に応じた種別のデータを検索対象として検索を行うようにしている。このように、検索対象を表示部の表示画面に応じて変えることにより絞り込み検索を容易に行うことが可能となり、ユーザはキーワードを入力するのみで所望のデータを容易に探し出すことが可能となる。
【発明の効果】
【００２３】
本発明による効果は、ユーザ所望のデータを容易に探し出すことができることである。その理由は、携帯端末装置に入力キーワードを基に検索を行う検索手段を設け、検索手段は携帯端末装置の表示部の表示画面に応じた種別のデータを検索対象として検索を行うようにしたためである。
【発明を実施するための最良の形態】
【００２４】
以下、本発明の実施形態について図面を参照して説明する。
【００２５】
図１は本発明の第１の実施形態による携帯電話機の構成を示す図である。図１において、本発明の第１の実施形態による携帯電話機は、アンテナ１と、無線部２と、メモリ３と、音声信号処理部４と、スピーカー５と、マイク６と、制御部７と、操作部８と、表示部９とを有する。
【００２６】
無線部２はアンテナ１に接続されており、アンテナ１を通じて無線信号の送受信処理を行う。メモリ３はユーザが設定したデータ等を記憶しておくものである。音声信号処理部４はスピーカー５及びマイク６に接続されており、アンテナ１、無線部２及び制御部７を介して受信された音声信号をＤ／Ａ変換して、スピーカー５から音声として出力する。また、音声信号処理部４はマイク６から入力された音声をＡ／Ｄ変換し、制御部７、無線部２及びアンテナ１を介して相手先に送信する。操作部８は電話番号等の入力や各機能の選択等を行うための複数のキーから構成されたものである。
【００２７】
制御部７には無線部２、メモリ３、音声信号処理部４、操作部８及び表示部９が接続されており、制御部７はこれら各部の制御を行う。制御部７は、操作部８を監視し、ユーザーの操作を検出判断して当該操作に基づく処理を行い、表示部９を制御して各種表示を行う。また、制御部７はＣＰＵ１０を含んで構成されている。ＣＰＵ１０は、操作部８のキー押下を監視し、キー押下を認識すると特定の処理を行い必要な情報を表示部９に表示せしめる。
【００２８】
本発明の第１の実施形態による携帯電話機では、ユーザが特定のデータを検索したい場合、キーワード入力画面上でそのデータに関する文字列を入力する。操作部８にはキーワード入力画面呼び出し用のボタン（以下、ヘルプボタンと称する）が割り付けられており、ヘルプボタンを押下することによりキーワード入力画面が表示部９に表示される。
【００２９】
ヘルプボタンはデータの検索が可能である表示の時のみ使用できるボタンであり、ヘルプボタンを使用できる場合にはこのことをユーザに認識させるために表示部９に「ヘルプ」の文字が表示される。それ以外の時はヘルプ機能（検索機能）は使用できない。ヘルプ機能が使用できるのは、通常の待ち受け画面やメール一覧画面等であり、通話中画面などのデータの検索が必要でない画面では使用できない。キーワード入力画面上でキーワードを入力し検索を開始すると、そのキーワードに関連するデータ名が表示部９に一覧表示される。すなわち、入力キーワードを含むデータ名が一覧表示される。なお、入力キーワードに似た文字列も対象とするあいまい検索を行うようにして、入力キーワードを含むデータ名及び入力キーワードに似た文字列を含むデータ名が一覧表示されるようにしてもよい。
【００３０】
以下、本発明の第１の実施形態による携帯電話機の動作について図面を参照して説明する。図２は本発明の第１の実施形態による携帯電話機の動作を示すフローチャートである。図２において、ヘルプボタンが押下されると、キーワード入力画面が表示され（ステップＳ１）、ユーザは操作部８を用いてキーワードの入力を行う（ステップＳ２）。そして、操作部８の決定ボタンが押下されると（ステップＳ３）、制御部７は、ヘルプボタンが押下される際の表示部９の表示画面に応じた種別のデータを検索対象として入力キーワードを基に検索を開始する（ステップＳ４）。
【００３１】
例えば、表示部９に受信メール一覧、送信メール一覧、新規メール作成、等を選択できるメール画面が表示されているときにヘルプボタンが押下されたならば、検索対象を送信メール及び受信メールとして検索が行われる。また、例えば、受信メール一覧表示画面が表示されているときであったならば、検索対象は受信メールに限定される。また、例えば、各種機能の項目一覧表示画面が表示されているときであったならば、検索対象はそれら機能に限定される。また、例えば、待ち受け画面が表示されているときであったならば、携帯電話機の全データ（予め備わっているデータ（各種機能、着信音、等）やユーザ特有のデータ（電子メール、ダウンロード画像、等））が検索対象とされる。
【００３２】
ステップＳ４の検索によってキーワードに関するデータが存在した場合は（ステップＳ５，ＹＥＳ）、検索結果であるキーワードに関するデータの一覧が表示部９に表示される（ステップＳ６）。一方、キーワードに関するデータが存在しなかった場合（ステップＳ５，ＮＯ）、“該当するデータはありません”等のメッセージが表示される（ステップＳ９）。この場合、ヘルプボタンを押下することで再度キーワード入力をすることができる（ステップＳ１０，Ｓ１）。
【００３３】
ステップＳ６の検索結果表示では、キーワードに関するデータのデータ名が全て一覧で表示される。この一覧の中に目的のデータのデータ名が存在する場合、ユーザが操作部８を用いて目的のデータ名を選択し決定ボタンを押下することにより（ステップＳ７）、選択されたデータに対応する処理が制御部７により行われる（ステップＳ８）。
【００３４】
例えば、各種機能を検索対象とする検索を行った場合、キーワードを含む機能名の一覧が表示される（ステップＳ６）。この一覧の中に目的の機能名が存在する場合、ユーザが操作部８を用いて目的の機能名を選択し決定ボタンを押下することにより（ステップＳ７）、選択された機能に対応する機能設定画面が表示部９に表示される（ステップＳ８）。なお、操作部８のホールドキーが押下されると、図２のフローチャートの検索処理動作が終了されるものとする。
【００３５】
上述したようにステップＳ４の検索では、ヘルプボタン押下時の画面によって検索対象となるデータの種類が異なるため、各種機能の項目一覧画面やメール画面のような各種類別の画面でヘルプ機能の呼び出し（ヘルプボタンの押下）を行うことで検索データを絞ることができる。
【００３６】
図２及び図３を用いて各種機能が検索対象とされる場合の検索について説明する。ここでは、ユーザが着信音の変更を行う場合を例に挙げて説明する。図３は各種機能が検索対象とされる場合の表示部９の表示画面の遷移例を示す図である。
【００３７】
各種機能の大項目一覧表示画面３１にてヘルプボタンが押下されると、キーワード入力画面３２が表示される（ステップＳ１）。画面３３に示すようにユーザがキーワードとして「着信音」と入力し決定ボタンを押下すると（ステップＳ２，Ｓ３）、各種機能を検索対象とするキーワード検索が行われる（ステップＳ４）。検索が終了しキーワードを含む機能名が存在すると（ステップＳ５）、画面３４に示すように検索結果が表示される（ステップＳ６）。検索結果の表示は、入力キーワード「着信音」を含む機能名の一覧である。機能一覧の中から目的の機能があれば選択することにより、選択された機能に対応する機能設定画面へ移行する。ここでは、画面３５に示すようにユーザが操作部８を用いてカーソル表示を  「着信音選択」に移動し決定することにより（ステップＳ７）、着信音選択画面３６が表示される（ステップＳ８）。
【００３８】
次に、図２及び図４を用いて受信メールが検索対象とされる場合の検索について説明する。ここでは、ユーザが特定の人からのメールを検索する場合を例に挙げて説明する。図４は受信メールが検索対象とされる場合の表示部９の表示画面の遷移例を示す図である。
【００３９】
受信メール一覧、送信メール一覧、保存メール一覧、新規メール作成、等を選択できるメール画面４１にてユーザが操作部８を用いて受信メール一覧を選択し決定すると、受信メール一覧表示画面４２が表示される。画面４２にてヘルプボタンを押下すると、キーワード入力画面４３が表示され（ステップＳ１）、画面４４に示すようにユーザがキーワードとして送信者名を入力する（ステップＳ２）。特定の名前での受信メールの検索は、予めアドレス帳登録にて氏名とメールアドレスがメモリ３内に登録されている場合に限られ、キーワード入力にて入力する文字列はアドレス帳に登録されている名前とする。ただし、登録名をそのまま入力する必要はなく、登録されている名前の一部をキーワードとして入力するだけでもよい。
【００４０】
画面４４に示すようにユーザが「名前Ａ」と入力し決定ボタンを押下すると（ステップＳ２，Ｓ３）、受信メールを検索対象とするキーワード検索が行われる（ステップＳ４）。検索はメモリ３内に保存されている受信メール全ての中から行う。ここでは受信メール保存数を２００件とし、最大２００件の中から検索された名前Ａの受信メール全てが画面４５に示すように一覧表示される（ステップＳ５，Ｓ６）。画面４５においてユーザが操作部８を用いて所望の名前Ａの受信メールを選択し決定すると（ステップＳ７）、画面４６に示すように選択された受信メールのメール本文が表示される（ステップＳ８）。図４の例では名前での検索であるが、キーワード入力で入力する文字列はメールの題名、日付、メールアドレス、等でもよい。
【００４１】
目的の機能を実行したい場合、従来の方法ではユーザは表示部に表示された機能名の一覧から目的の機能が表示されるまで随時カーソル移動等のボタン操作を行う必要がある。しかし、本発明の第１の実施形態では、ユーザはヘルプボタンを押下してキーワードを入力し、決定するだけの操作で簡単に目的の機能の呼び出しが可能である。
【００４２】
また、目的の機能名（データ名）がわからなくてもキーワードを入力するだけで、キーワードに関連するデータが表示されるため、機能名の一覧から一つ一つ探す必要はなく、また取り扱い説明書等で確認する必要もない。
【００４３】
また、ヘルプボタン押下時の画面によって検索対象となるデータの種類（機能名、メール、ダウンロードデータ、等）が異なるため、検索データを絞り込むことができ、ユーザ所望のデータをより容易に探し出すことができる。
【００４４】
また、今後携帯電話機の発達によってデータの量が増えていくにつれ、従来の一覧からの検索では操作の手間が増える一方であるが、本発明の第１の実施形態による検索方法では、携帯電話機のメモリ内のデータが増えたとしても操作の手間が増えることなく、ユーザはヘルプボタンを押下してキーワードを入力し、決定するだけで所望のデータを容易に探し出すことができる。
【００４５】
なお、以上説明した本発明の第１の実施形態では、ヘルプ機能の呼び出し、すなわちキーワード入力画面の呼び出しは、操作部８内の所定のボタンをヘルプボタンとしてこれをユーザが押下することでなされていたが、図３及び図４に示した画面３１や画面４１等に表示された「ヘルプ」の箇所（これをヘルプボタンとする）をユーザが操作部８を用いて選択することで呼び出しを行うようにしてもよい。
【００４６】
また、本発明の第１の実施形態では、キーワード入力画面において入力されるキーワードは１つのみであるが、２つ以上のキーワードを入力してこれらを基に検索を行うようにしてもよい。２つ以上のキーワードを入力する場合、キーワード間に「ＯＲ」や「ＡＮＤ」を用いる。
【００４７】
例えば、待ち受け画面の設定画面を呼び出したい場合、検索キーワードを「画面  ＯＲ  表示」とする。待ち受け画面の設定が２つのうちどちらかに当てはまれば、検索結果の一覧の中に表示することができる。メモリ３内の待ち受け画面設定に関するデータ名が「画面」で登録されているか「表示」で登録されているか判らない場合、ＯＲ機能が有効である。また、メール着信音の設定を行いたい場合、「音  ＡＮＤ  メール」と入力することにより、音とメール両方のキーワードに当てはまるデータを検索するため、検索結果を絞ることができる。
【００４８】
上記で説明した「ＯＲ」や「ＡＮＤ」は「、」「＊」等のような記号を使用して入力してもよい。または、キーワード入力画面内に２つもしくは３つのキーワード入力欄があり、各キーワード入力欄の間で「ＯＲ」や「ＡＮＤ」が選択できるようになっていてもよい。
【００４９】
また、ユーザのキーワード入力の支援を目的として、キーワード入力画面に１つのボタンを設けて、ユーザが操作部８を用いてそのボタンを選択すると過去に入力されたキーワードが一覧で表示されるようにしてもよい。この場合、その一覧中の１つのキーワードを選択すると、選択されたキーワードがキーワード入力画面のキーワード入力欄に表示される。過去に一度入力したことがあるキーワードである場合は、本機能を用いることによりキーワード入力の操作の手間が省ける。
【００５０】
また、本発明の第１の実施形態では、ヘルプボタンが押下される際の表示部９の表示画面に応じた種別のデータを検索対象として検索を行っていたが、第１の実施形態のように画面表示を切替えてからヘルプ機能を呼び出すのではなく、キーワード入力画面において検索対象とするデータの種別をユーザが選択できるようにしてもよい。これについて説明するための表示部９の表示画面の遷移例が図５に示されている。
【００５１】
図２及び図５において、メール着信音の設定を行う機能を呼び出すために、ユーザが待ち受け画面５１が表示されている状態でヘルプボタンを押下すると、キーワード入力画面５２が表示される（ステップＳ１）。画面５２上には「種別」が表示されており、ユーザが操作部８を用いてこの「種別」の箇所を選択すると、検索対象とするデータの種別を選択できる画面５３が表示される。画面５３にはデータの種別が一覧表示されており、ユーザは操作部８を用いて種別を選択する。種別を選択しなくてよい場合は「なし」を選択する。
【００５２】
ここでは、メール着信音の設定を行うため、ユーザは画面５３の「機能設定」を選択する。選択が終わるとキーワード入力画面５４に戻り、種別欄には「機能設定」と表示される。そして、ユーザはキーワードとして「メール」と入力し決定ボタンを押下する（ステップＳ２，Ｓ３）。すなわち、本例では、ステップＳ２においてはユーザはキーワードを入力するだけではなく検索対象としたい種別も選択することになる。
【００５３】
ステップＳ３の後、検索が行われるが（ステップＳ４）、本例では、ステップＳ４の検索はユーザにより選択された種別のデータを検索対象として行われる。したがって、ステップＳ４において各種機能を検索対象とする検索が行われ、画面５５に示すようにキーワード「メール」に関連する機能名の一覧が表示される（ステップＳ５，Ｓ６）。
【００５４】
上述したように、本発明の第１の実施形態では、待ち受け画面でヘルプ機能の呼び出しを行うと、種別に関係なく携帯電話機の全データが検索対象とされるため、キーワードを「メール」とすると検索結果としてメールに関連するデータが全て表示されてしまう。受信メール、送信メール等が全て表示されてしまう可能性もある。また、本発明の第１の実施形態では、種別を選択したい場合、表示画面を切り替えてからヘルプ機能の呼び出しを行うが、図５に示した例ではヘルプ機能の呼び出しが行える画面であれば、どの画面でも所望の種別を検索対象として選択してキーワード検索が行える。
【００５５】
次に、本発明の第２の実施形態について図面を参照して説明する。携帯電話機の発達につれ、携帯電話に設定するための機能は急激に増え続けている。しかし、機能の種類が増える一方、ユーザはすべての機能を記憶できなくなり、ユーザによっては特定の機能しか使用しなくなるケースも多い。特に新しく追加された機能においては、機能設定画面に表示される機能名だけ見ても、どのような設定が行えるのか、どのような設定を行えばよいのか、と判りづらいものが多く、最終的にはユーザはその機能を使わなくなってしまう。取り扱い説明書には各機能についての説明が記載されているが、普段携帯電話を使用するユーザは手元に取り扱い説明書がない場合が多い。
【００５６】
そこで、本発明の第２の実施形態では、ヘルプ機能として、機能名が表示されている画面においてヘルプボタンが押下されると、その機能についての詳細な説明が表示部９に表示されるようにする。なお、本発明の第２の実施形態による携帯電話機は、図１に示した構成と同様の構成を有している。
【００５７】
各機能の設定をする画面には機能名が表示されており、決定ボタンを押すことにより実際に機能の設定を行う操作へ移行する。ここでは「着信アンサー設定」という機能について図６を用いて説明する。なお、図６は本発明の第２の実施形態のヘルプ機能について説明するための表示部９の表示画面の遷移例を示す図である。
【００５８】
着信アンサーは、着信時に操作部８のオフフックボタンや終了ボタン以外の「エニーキー」として割り振られたボタンをユーザが押下した時の動作を設定するものである。着信アンサー設定では、画面６２に示した「エニーキーアンサー」及び「クイックサイレント」の２種類の設定が行えるものとする。エニーキーアンサーがユーザにより選択されると、着信時にオフフックボタンや終了ボタン以外のエニーキーを押下した場合に通話状態に移行するように動作設定される。一方、クイックサイレントがユーザにより選択されると、着信時にエニーキーを押下した場合に着信音の鳴動を止め、着信はそのまま続行されるように動作設定される。
【００５９】
このような機能は携帯電話機に特有な機能であり、ユーザによっては機能の名前を見ただけではどのような機能なのかが判らない。そこで、本発明の第２の実施形態では、画面６１のように「着信アンサー設定」のような機能名が表示されている画面にて、ユーザがヘルプボタンを押下してヘルプ機能を呼び出すことによって「着信アンサー設定」についての詳細な説明が表示部９に表示される機能を提供する。
【００６０】
画面６１または画面６２においてヘルプ機能を呼び出すと画面６３が表示され、着信アンサーについての詳細な説明と設定方法の記載が表示される。画面６３では、「エニーキーアンサー」と「クイックサイレント」についてそれぞれ説明が記載されており、ユーザが操作部８を用いて画面６３の「エニーキーアンサー」または「クイックサイレント」を選択して決定ボタンを押下すると、選択されたほうの設定が行えるものとする。よって、ユーザが画面６３の着信アンサーの設定について説明を読んだ後、クイックサイレントに設定したい場合は、画面６４に示すようにクイックサイレントを選択して決定することにより、設定画面６２に戻ることなくそのまま設定を行うことができる。なお、画面６５はクイックサイレントに設定されたことを示す画面である。
【００６１】
携帯電話機に備わっている全ての機能について、上述のヘルプ機能を用いることにより、ユーザはよりたくさんの携帯電話の機能を簡単に使用することができる。
【００６２】
なお、上記図２に示したフローチャートに従った携帯電話機の処理動作は、予めＲＯＭ等の記憶媒体に格納されたプログラムを、ＣＰＵ（制御部）となるコンピュータに読み取らせて実行せしめることにより、実現できることは勿論である。
【図面の簡単な説明】
【００６３】
【図１】本発明の第１の実施形態による携帯電話機の構成を示す図である。
【図２】図１の携帯電話機の動作を示すフローチャートである。
【図３】図１の携帯電話機の動作を説明するための表示部の表示画面の遷移例を示す図である。
【図４】図１の携帯電話機の動作を説明するための表示部の表示画面の遷移例を示す図である。
【図５】図１の携帯電話機の動作を説明するための表示部の表示画面の遷移例を示す図である。
【図６】本発明の第２の実施形態による携帯電話機の動作を説明するための表示部の表示画面の遷移例を示す図である。
【図７】従来の携帯電話機の表示部の表示画面の遷移例を示す図である。
【図８】（ａ）及び（ｂ）は従来の携帯電話機の表示部の表示画面の遷移例を示す図である。
【符号の説明】
【００６４】
１    アンテナ
２    無線部
３    メモリ
４    音声信号処理部
５    スピーカ
６    マイク
７    制御部
８    操作部
９    表示部
１０    ＣＰＵ
【図１】
2005080139.tif 000003
【図２】
2005080139.tif 000004
【図３】
2005080139.tif 000005
【図４】
2005080139.tif 000006
【図５】
2005080139.tif 000007
【図６】
2005080139.tif 000008
【図７】
2005080139.tif 000009
【図８】
2005080139.tif 000010